(57)【要約】【課題】建物の室内の吸排気を壁面で行うようにして室内の下部などから直接吸排気する。【解決手段】室内壁面材に通路部を設け、この通路部に沿って薄板状中空長方体から成る吸気管あるいは排気管をその前面板が前記室内壁面材の室内側の表面とほぼ同一平面となるように配置して、前記前面板の一部に吸気口あるいは排気口を設ける。【選択図】　　　　図１
2004053246.tif 000002
【特許請求の範囲】
【請求項１】
室内壁面材に通路部を設け、この通路部に沿って薄板状中空長方体から成る吸気管をその前面板が前記室内壁面材の室内側の表面とほぼ同一平面となるように配置して前記前面板を室内壁面とすると共に、前記前面板の一部に吸気口を設けたことを特徴とする吸気管の壁面取付け構造。
【請求項２】
室内壁面材に通路部を設け、この通路部に沿って薄板状中空長方体から成る排気管をその前面板が前記室内壁面材の室内側の表面とほぼ同一平面となるように配置して前記前面板を室内壁面とすると共に、前記前面板の一部に排気口を設けたことを特徴とする排気管の壁面取付け構造。
【請求項３】
室内壁面材に通路部を設け、この通路部に沿って薄板状中空長方体から成る吸気管をその前面板が前記室内壁面材の室内側の表面とほぼ同一平面となるように配置すると共に、前記前面板の一部に吸気口を設けたことを特徴とする吸気管の壁面取付け構造。
【請求項４】
室内壁面材に通路部を設け、この通路部に沿って薄板状中空長方体から成る排気管をその前面板が前記室内壁面材の室内側の表面とほぼ同一平面となるように配置すると共に、前記前面板の一部に排気口を設けたことを特徴とする排気管の壁面取付け構造。
【請求項５】
室内壁面材に通路部を設け、この通路部に沿って薄板状中空長方体から成る吸気管を配置してその前面板に取り付けた板状部材が前記室内壁面材の室内側の表面とほぼ同一平面となるようにすると共に、前記前面板及び前記板状部材の一部に吸気口を設けたことを特徴とする吸気管の壁面取付け構造。
【請求項６】
室内壁面材に通路部を設け、この通路部に沿って薄板状中空長方体から成る排気管を配置してその前面板に取り付けた板状部材が前記室内壁面材の室内側の表面とほぼ同一平面となるようにすると共に、前記前面板及び前記板状部材の一部に排気口を設けたことを特徴とする排気管の壁面取付け構造。
【発明の詳細な説明】
【０００１】
【発明の属する技術分野】
本発明は吸気管あるいは排気管を室内に設けるための取付け構造に関する。
【０００２】
【従来の技術】
建造物の部屋の内部には、人間の体臭などのいやな臭い、タバコの煙、料理の匂い、湿気などがこもる。特に、近年高齢化社会になるにつれ、部屋内の悪臭の増加が進行している。また、特にトイレ内も悪臭が生じる。また、近年建物の建築材から発生する有害な化学物質によるいわゆるシックハウスも問題となっている。このため、室内の空気を外部へ排出し換気する必要がある。
【０００３】
部屋内部の空気を換気するため、従来では一般に、例えばコンクリート造りのマンションでは、図２１に示すように、天井材１とその上方の床スラブ２間の比較的大きな天井裏空間３を利用して、この天井裏空間３内に円形断面の吸気管４を設け、天井材１に設けた前記円形断面のパイプ状の吸気管４で吸気口５と建物外壁６あるいは間仕切壁１０などに設けた穴７との間を連結して、ファン８の駆動によって部屋９内の空気を建物外へ穴７から排出させている（なお、図２１において１４は床材である。）。
【０００４】
【発明が解決しようとする課題】
しかしながら、臭い物質や化学物質を含んだ空気は比重が重く部屋９内の下部に溜まるため、このように天井に設けた吸気口５からは部屋９内の空気が外部へ排出されにくかった。
【０００５】
従って、部屋９の下部からも吸気して外部へ排出させるために、部屋９の壁面から吸気させることが有効であるが、部屋９の内部を広くするために建物外壁６あるいは間仕切壁１０と室内壁面材１１との間は胴縁１２の厚さ分の空間１３しかないので、円形断面の前記吸気口５をこの空間１３内に設けられないため、壁面の下部から吸気排出させることは不可能であった。
【０００６】
なお、以上のことは室内からの吸気だけでなく、外部の空気を室内へ送り込む（例えば冷暖房のため）排気管についても同様である。即ち、室内の下部などでも冷暖房の空気を送り込むと、室内の冷暖房が室内の隅々まで行き渡る。
【０００７】
本発明はこのような問題を解決し、吸気管あるいは排気管を壁面に取付けられるようにした取付け構造を提供することを目的としている。
【０００８】
【課題を解決するための手段】
前記目的を達成するために、本発明の請求項１では、
室内壁面材に通路部を設け、この通路部に沿って薄板状中空長方体から成る吸気管をその前面板が前記室内壁面材の室内側の表面とほぼ同一平面となるように配置して前記前面板を室内壁面とすると共に、前記前面板の一部に吸気口を設けたことを特徴としている。
【０００９】
また本発明の請求項２では、
室内壁面材に通路部を設け、この通路部に沿って薄板状中空長方体から成る排気管をその前面板が前記室内壁面材の室内側の表面とほぼ同一平面となるように配置して前記前面板を室内壁面とすると共に、前記前面板の一部に排気口を設けたことを特徴としている。
【００１０】
また本発明の請求項３では、
室内壁面材に通路部を設け、この通路部に沿って薄板状中空長方体から成る吸気管をその前面板が前記室内壁面材の室内側の表面とほぼ同一平面となるように配置すると共に、前記前面板の一部に吸気口を設けたことを特徴としている。
【００１１】
また本発明の請求項４では、
室内壁面材に通路部を設け、この通路部に沿って薄板状中空長方体から成る排気管をその前面板が前記室内壁面材の室内側の表面とほぼ同一平面となるように配置すると共に、前記前面板の一部に排気口を設けたことを特徴としている。
【００１２】
また本発明の請求項５では、
室内壁面材に通路部を設け、この通路部に沿って薄板状中空長方体から成る吸気管を配置してその前面板に取り付けた板状部材が前記室内壁面材の室内側の表面とほぼ同一平面となるようにすると共に、前記前面板及び前記板状部材の一部に吸気口を設けたことを特徴としている。
【００１３】
また本発明の請求項６では、
室内壁面材に通路部を設け、この通路部に沿って薄板状中空長方体から成る排気管を配置してその前面板に取り付けた板状部材が前記室内壁面材の室内側の表面とほぼ同一平面となるようにすると共に、前記前面板及び前記板状部材の一部に排気口を設けたことを特徴としている。
【００１４】
このようにすれば、室内壁面部に吸気口あるいは排気口を備えた吸気管あるいは排気管を壁面とほぼ同一平面状に設けて、室内の下部などから吸気したり、室内の下部などへ外部の空気を排出したりすることができる。
【００１５】
【発明の実施の形態】
以下、図面に基づいて本発明の実施の形態を説明する。
図１〜４は本発明の一実施形態を示している。
図２１で示したのと全く同様に例えばマンションの部屋９では、建物外壁６あるいは間仕切壁１０の内面には縦方向および横方向に胴縁１２が固定されていて、この胴縁１２にボードなどの室内壁面材１１が取付けられている。
【００１６】
例えばリフォーム時に、図１、図２に示すように、この室内壁面材１１を一定の幅で上下方向に（上部は天井まで、下部は床材１４から所望の高さまであるいは床材１４まで）切断し除去して、室内壁面材１１に通路部２０を設ける。
リフォームではなく新築時には、通路部２０が形成されるように隣り合う２つの室内壁面材１１、１１を間隔をあけて胴縁１２などに取り付ける。
【００１７】
なお、この通路部２０の上部において、図１に示すように天井材１にも通路部２０と同一の穴１ａを設ける。
【００１８】
この通路部２０に沿って、図４に示す薄板状中空長方体から成る吸気管３０を、図１、図３に示すようにその前面板３４が室内壁面材１１の室内側の表面とほぼ同一平面となるように嵌め込んで取付ける。
【００１９】
吸気管３０は、室内壁面材１１の厚みとほぼ同一の厚みで、通路部２０の幅より僅かに幅が狭い薄板状中空長方体であって、背面板３１と両側板３２、３３と前面板３４を備えている。そして、上端面には開口３０ａを有し、下端面は底面板３５で閉鎖されている。前面板３４には、その下端部に吸気口３７が設けられている。なお、この吸気口３７は前面板３４の下端部の他に中間部や上部の任意の位置にも設けてもよく、また、全体的に設けてもよい。
【００２０】
吸気管３０の取付けは、例えば次のように行う。
通路部２０に位置する上下の多数の胴縁１２のうちの複数のものを選んで、図５に示す取付け具４０の平板４１の穴４２において、図６に示すようにネジ４３で胴縁１２にネジ止め固定する。取付け具４０の両側には互いに近づく方向に付勢されたバネ性を有する挟持片４４、４５が突設されている。挟持片４４、４５の先端には内方へ係止爪（図示せず）を突設してもよい。
【００２１】
従って、図６に示すように、吸気管３０の一方の側板３２を挟持片４４に押し付けて外方へ弾性変形させつつ他方の挟持片４５との間に吸気管３０を嵌め込み、背面板３１を平板４１に接するまで押し込み、側板３２、３３を挟持片４４、４５によって挟持させることによって通路部２０に嵌め込み固定させることができる。なお、係止爪を設けた場合には、係止爪が前面板３４の両端に係止され、固定が一層堅固になる。
【００２２】
このようにして、図１、図３に示すように、通路部２０の最下端部から天井材１の穴１ａを通って天井裏空間３に達する高さで吸気管３０をその前面板３４が室内壁面材１１の表面とほぼ同一平面となるように取付ける。
【００２３】
吸気管３０の前面板３４にペンキなどを塗ってそのまま室内壁面としてもよく、また図６に示すように、前面板３４の表面にクロスなどの壁面シート３８を、吸気口３７の部分を除いて、隣接する室内壁面材１１の表面と一体的にカバーして接着したりして室内壁面としてもよい。
【００２４】
そして、建物外壁６あるいは間仕切壁１０の穴７に、円形のパイプ５０の一端を取付ける。パイプの他端は底板５１で閉鎖されている。パイプ５０の側面には、前記吸気管３０の上端部３０ａを差し込むための長方形状の穴を有する連結管５２が突設されていて、この連結管５２の穴内に吸気管３０の上端部３０ａを差し込んで上端部の開口をパイプ５０と連通させる。
【００２５】
従って、ファン５５を駆動すれば、部屋９内の空気は室内壁面に設けられた吸気口３７から吸気管３０、パイプ５１を通って穴７から外部へ排出される。
【００２６】
以上、吸気管３０について説明したが、全く以上と同じ構成で吸気管を排気管として用いることもできるので、排気管の取付けについては説明を省略する。
【００２７】
即ち、ファン５５で逆に外からの空気をパイプ５０側へ送り込むようにすれば、外部の空気が室内壁面の排気管の前面板に設けた排気口から部屋９内へ排出される。
【００２８】
従って、例えば冷暖房装置（図示せず）からの送風を前記パイプ５０に送り込んで、排気管の排気口から冷風あるいは暖風を部屋９内へ送り込むこともできる。
【００２９】
なお、吸気管３０（あるいは排気管）は厚さが薄く幅が広いので図６あるいは図７に示すように背面板３１と前面板３４の間に１本あるいは複数本の支柱５６を設けてもよい。
【００３０】
また、図７に示すように、背面板３１と前面板３４とを別体にして、背面板３１を胴縁１２にネジ止め固定し、前面板３４の両側板５８、５９を背面板３１の両側板６０、６１に外側から被せて取付けるようにしてもよい。
【００３１】
なお、この側板５８、５９に内方へ突出した嵌合突部５８ａ、５９ａを設け、側板６０、６１には嵌合凹部６０ａ、６１ａを設けて、嵌合突部５８ａ、５９ａを嵌合凹部６０ａ、６１ａに嵌め込むようにしてもよい。
【００３２】
あるいはネジ（図示せず）を側板５８、５９の穴（図示せず）に外側から通して側板６０、６１のネジ穴（図示せず）にネジ止めするようにしてもよい。
【００３３】
あるいは側板５８、５９を内方へ傾くように弾性変形させておいて側板６０、６１に外側から弾性的に圧接するようにしてもよい。
【００３４】
また、図８に示すように、側板５８、５９の内側に挟持板５８ａ、５９ａを設けて、側板５８、５９と挟持片５８ａ、５９ａとの間に、それぞれ側板６０、６１を差し込んで挟持させるようにしてもよい。
【００３５】
なお、吸気管３０（あるいは排気管）の上端を位置的にパイプ５０に接続しにくい場合には、図９、図１０、図１１に示すように方向を変える薄板状の中継管７０、７１、７２などを用いて、吸気管３０（あるいは排気管）の上端をこの中継管７０、７１、７２などの一端に接続し、中継管７０、７１、７２などの他端をパイプ５０の連結管５２に接続するようにすることもできる。
【００３６】
また、図１２、図１３に示すように、吸気管３０（あるいは排気管）の上端を接続する矩形接続部７３ａ、７３ａと、円形のパイプに接続するための円形接続部７３ｂ、７４ｂとをそれぞれ備えた中継管７３、７４を用いてもよい。
【００３７】
また、図１４に示すように、吸水管３０（あるいは排気管）に接続するための矩形接続部７５ａとパイプに接続するための円形接続部７５ｂ間を蛇腹部７５ｃで連結して自由に円形接続部７５ｂの向きを変えてパイプに接続できるようにした中継管７５を用いてもよい。
【００３８】
また、図１５に示すように、吸気管３０（あるいは排気管）に接続するための矩形接続部７６ａとパイプに接続するための矩形接続部７６ｂ間を蛇腹部７６ｃで連結して自由に矩形接続部７６ｂの向きを変えてパイプに接続できるようにした中継管７６を用いてもよい。
【００３９】
なお、図１６に示すように、薄板状中空長方体から成る吸気管３０の天井材１より上方の上端部において、穴８０を前面板３４（あるいは背面板でもよい）に設けて（吸気管３０の上下端面が開口している場合には、キャップ３０ｂで閉塞する）、この穴８０にパイプ８１の一端を固定し、ファン（図示せず）によって室内の空気を吸気口３７から吸気してパイプ８１を通して外部へ排出するようにしてもよい。
【００４０】
なお、吸気管３０の代りに排気管にしてファンでパイプから空気を室内へ送り込むようにしてもよいことは勿論である。
【００４１】
また、図１７に示すように薄板状中空長方体から成る吸気管３０（あるいは排気管）の前面板９２にベニア板、合板、その他の板状部材８５を固定し、この板状部材８５の前面を適宜壁面（前記室内壁面材１１）とほぼ同一平面となるようにしてもよい。勿論この板状部材８５には、吸気口３７と同位置に穴８６を設ける。
また、板状部材８５の前面に前記壁面シート３８などを取付けてもよい。
【００４２】
なお、図１７の実施形態では、吸気管３０（あるいは排気管）は別体の底板９０と本体９１とで構成され、本体９１の前面板９２の両側の側板９３、９３の先端から外側へ直角に折曲げられた縁板９４、９４を底板９０にリベット９５で固定している。そして、胴縁１２に縁板９４と底板９０とを一度に釘打ちなどで固定している。
【００４３】
なお、図１８に示すように、吸気管（あるいは排気管）を前記方法で室内壁に設けて、天井側でなく床材１４の下方の空間においてファンで吸気（あるいは排気）するようにしてもよい。
【００４４】
なお、図１９に示すように、複数の部屋において室内壁面に前記方法で吸気管３０（あるいは排気管）を設けて、床下または天井裏でそれらを連結し、連結部にファン１００を設けて、いずれかの向きに送風することによって一方の室内の空気を他方の室内へ送り込むことができる。これによって一方の部屋のみに冷暖房装置を設ければ、他方の部屋へその冷気または暖気を送ることができる。
【００４５】
また、冷暖房装置を設けない場合でも、例えば冬場の南向きの部屋の暖気を北向きの寒い部屋へ送ることなどができる。
【００４６】
なお、吸気管あるいは排気管をリフォーム工事の際に室内壁面材を切除して取付けることもできるが、建物の建築の際に予め室内壁面材に通路を設けて吸気管あるいは排気管を取付けることもできる。
【００４７】
また、室内壁面材は石膏ボードや板などに限らず、タイル、モルタルなどでもこれを剥がして通路を作って吸気管あるいは排気管を取付けることもできる。
また、室内壁面材と同一平面ではなく吸気管あるいは排気管が少し突出した状態で取付けてもよい。
【００４８】
なお、図３では室内壁面材１１に上下方向に垂直に通路部２０を設けているが、斜め方向や横方向に通路部２０を設けて、吸排気管をそれに沿って取付けてもよい。
【００４９】
なお、図２０に示すように、外壁６（あるいは間仕切壁１０）に、胴縁を用いずに、直接室内壁面材１１が設けられている場合には、同様に室内壁面材１１を切除して通路部２０を設け、外壁６（あるいは間仕切壁１０）にドリルなどで穴あけして吸気管（あるいは排気管）３０の背面板３４をこの穴にネジ４３で固定して前面板３４を被せて取付けるようにしてもよい。
【００５０】
また、外壁６（あるいは間仕切壁１０）の内面に室内壁面材１１を取付けていない場合には、図１６に示すように吸気管（あるいは排気管）３０を外壁６（あるいは間仕切壁１０）の内面に同様にネジ４３で直接取付け、吸気管（あるいは排気管）３０の両側に室内壁面材１１をほぼ同一平面となるように外壁６（あるいは間仕切壁１０）の内面に接着あるいはネジ止めによって取付けてもよい。
【００５１】
なお、マンションなどのコンクリート建築の部屋以外にも、例えば木造建築の部屋でも、同様に室内壁面材を切除して通路部を作り、吸排気管を取付けることもできる。
【００５２】
以上、本発明の実施形態を説明したが、本発明の構成は前記実施形態の構成にのみ限定されるものではなく、本発明の要旨を逸脱しない範囲で種々の変形が可能なことは勿論である。
【００５３】
【発明の効果】
以上のように本発明は構成されているので、部屋の下部など所望の位置で吸気あるいは排気をすることができる。
【図面の簡単な説明】
【図１】本発明の一実施形態を示す断面図
【図２】同実施形態において室内壁面材に通路部を設けた状態を示す正面図
【図３】図２の状態から吸気管を取付けた状態を示す正面図
【図４】吸気管を示す斜視図
【図５】同実施形態の取付け具を示す斜視図
【図６】同実施形態の取付け状態を示す断面図
【図７】吸排気管の一実施形態を示す断面図
【図８】吸排気管の一実施形態を示す断面図
【図９】本発明の一実施形態の接続管を示す斜視図
【図１０】本発明の一実施形態の接続管を示す平面図
【図１１】本発明の一実施形態の接続管を示す平面図
【図１２】本発明の一実施形態の接続管を示す平面図
【図１３】本発明の一実施形態の接続管を示す平面図
【図１４】本発明の一実施形態の接続管を示す平面図
【図１５】本発明の一実施形態の接続管を示す平面図
【図１６】本発明の他の実施形態を示す断面図
【図１７】本発明の他の実施形態を示す断面図
【図１８】本発明の他の実施形態を示す断面図
【図１９】本発明の他の実施形態を示す断面図
【図２０】本発明の他の実施形態を示す断面図
【図２１】従来の吸排気装置を示す説明図
【符号の説明】
１　天井材
３　天井裏空間
７　穴
９　部屋
１０　間仕切壁
１１　室内壁面材
１２　胴縁
２０　通路部
３０　吸気管
３１　背面板
３４　前面板
４０　取付け具
５０　パイプ
５２　連結管
７０、７１、７２、７３、７４、７５、７６　中継管
【図１】
2004053246.tif 000003
【図２】
2004053246.tif 000004
【図３】
2004053246.tif 000005
【図４】
2004053246.tif 000006
【図５】
2004053246.tif 000007
【図６】
2004053246.tif 000008
【図７】
2004053246.tif 000009
【図８】
2004053246.tif 000010
【図９】
2004053246.tif 000011
【図１０】
2004053246.tif 000012
【図１１】
2004053246.tif 000013
【図１２】
2004053246.tif 000014
【図１３】
2004053246.tif 000015
【図１４】
2004053246.tif 000016
【図１５】
2004053246.tif 000017
【図１６】
2004053246.tif 000018
【図１７】
2004053246.tif 000019
【図１８】
2004053246.tif 000020
【図１９】
2004053246.tif 000021
【図２０】
2004053246.tif 000022
【図２１】
2004053246.tif 000023